(57)【要約】【課題】  支柱を床面乃至壁面に取り付けた後からでも施工後の微妙な寸法誤差の修正ができる支柱の取付装置を提供すること。【解決手段】  床面乃至壁面に取り付けるための取付金具を支柱端部においてスライド自在に装着し、取付金具と支柱間の距離を調節した後、止めネジにて取付金具と支柱を一体化することを特徴とする。【選択図】        図３
2006026349.tif 000002
【特許請求の範囲】
【請求項１】
床面乃至壁面に取り付けるための取付金具を支柱端部においてスライド自在に装着し、取付金具と支柱間の距離を調節した後、止めネジにて取付金具と支柱を一体化することを特徴とする支柱の取付装置。
【請求項２】
壁面に敷設されたレールの溝に嵌合できる嵌合片を形成した取付金具を支柱端部においてスライド自在に装着し、取付金具と支柱間の距離を調節した後、止めネジにて取付金具と支柱を一体化することを特徴とする支柱の壁面への取付装置。
【請求項３】
請求項１記載の支柱の取付装置において、取付金具を介して支柱を床面乃至壁面に取り付けた後取付金具と支柱間の隙間を隠すためのカバーを装着したことを特徴とする請求項１記載の支柱の取付装置。
【請求項４】
請求項２記載の支柱の壁面への取付装置において、取付金具を介して支柱を壁面に取り付けた後取付金具と支柱間の隙間を隠すためのカバーを装着したことを特徴とする請求項２記載の支柱の壁面への取付装置。
【発明の詳細な説明】
【技術分野】
【０００１】  本発明は、主として床面と壁面の間に棚受けやラックを構築するための支柱を取り付けるための支柱の取付装置に関するものである。
【発明の開示】
【発明が解決しようとする課題】
【０００２】  従来から、床面と壁面の間に棚受けやラックを構築するための骨組みを構成する支柱を取り付けるための装置は公知である。【０００３】  然しながら、従来のこのような装置では単に支柱の端部に床面乃至壁面に固定するための座を取り付けてこの座を床面乃至壁面にネジ止めするだけのものであったため、一旦使用する支柱の長さを決めてしまえば、床面からの支柱の高さの調節や、壁面からの支柱迄の距離の調節ができず、床面や壁面の凹凸等の歪みによる複数の支柱間での寸法誤差や、施工後の微妙な寸法誤差の修正等の調整ができないという問題点があった。
【発明の目的】
【０００４】  本発明は、支柱を床面乃至壁面に取り付けた後からでも施工後の微妙な寸法誤差の修正ができる支柱の取付装置を提供することを目的とするものである。
【課題を解決するための手段】
【０００５】  本発明に係る請求項１の支柱の取付装置は、床面乃至壁面に取り付けるための取付金具を支柱端部においてスライド自在に装着し、取付金具と支柱間の距離を調節した後、止めネジにて取付金具と支柱を一体化することを特徴とし、請求項２の支柱の壁面への取付装置は、壁面に敷設されたレールの溝に嵌合できる嵌合片を形成した取付金具を支柱端部においてスライド自在に装着し、取付金具と支柱間の距離を調節した後、止めネジにて取付金具と支柱を一体化することを特徴とするものである。
【発明の作用】
【０００６】  請求項１の本発明では、取付金具を支柱端部においてスライド自在に装着してあるので、床面乃至壁面に支柱を取り付けた後、取付金具と支柱間の距離が調節できる。
【０００７】  請求項２の本発明では、取付金具を支柱端部においてスライド自在に装着し、且つ、取付金具に壁面に敷設されたレールの溝に嵌合できる嵌合片を形成してあるので、壁面に支柱を取り付けた後、取付金具と支柱間の距離が調節できると共に、支柱をレールの溝に沿って移動させることができる。
【実施例１】
【０００８】  図１は、本発明に係る支柱の取付装置によって棚受けを構築する状態の斜視図、図２は、同装置と支柱の側面図、図３は、同装置の縦断側面図、図４は、図３のＡ−Ａ線断面図である。【０００９】  図において、１は、後述する支柱を床面Ｆ乃至壁面Ｗに取り付けるための取付金具であって、床面乃至壁面に取り付けるための取付片１−１とこの取付片１−１の両端から取付片１−１に直交する方向に延びる支柱装着片１−２、１−２から成る側面形状がコ字型となっている。【００１０】  ２は、前記取付金具１の支柱装着片１−２、１−２が案内される溝２−１、２−１が形成された棚受けやラックを構築するための金属製型材から成る断面Ｉ型の支柱であって、前記取付金具１の支柱装着片１−２に形成された丸孔１−２ａ、１−２ａから挿通させたネジａ、ａが止められるネジ受溝２−２、２−２が形成されている。【００１１】  尚、図中３は、支柱２、２同士を連結するためのコーナージョイント、４は、取付金具１を介して支柱２を床面乃至壁面に取り付けた後取付金具１と支柱２間の隙間を隠すためのカバーである。【００１２】  次に、本発明装置による支柱の取付方法について説明する。【００１３】  先ず、棚受けやラックを構築する個所を決め、支柱２を取り付けるべき床面Ｆや壁面Ｗの所定個所に予め取付金具１をネジ止めしておく。【００１５】  次いで、ネジ止めされた取付金具１の支柱装着片１−２、１−２に支柱２の溝２−１、２−１を差し入れ、支柱装着片１−２の丸孔１−２ａ、１−２ａから挿通させたネジａ、ａを支柱２のネジ受溝２−２に緩く仮止めすることによって取付金具１と支柱２を一体化しておく。【００１６】  つまりこの方法によって、支柱２は取付金具１を介して床面或いは壁面に取り付けられることになるが、この方法を必要数の支柱において繰り返し行い、棚受けやラックを構築するための骨組みを形成する。【００１７】  骨組みを形成した後、各支柱がそれぞれ水平になっていないか、または、平行になっていないか、歪みはないか等の不都合を検査し、不都合がある場合には、それぞれの取り付け個所において上記仮止めを解いて支柱２を持ってスライドさせ、取付金具１と支柱２との間隔を変えて不都合を修正する。【００１８】  不都合を修正して所期の目的の骨組みを形成した後、仮止め個所のネジａ、ａを緊締して固定することによって床面と壁面の間に棚受けやラックを構築するための骨組みを構成する支柱の取り付けが完了する。
【実施例２】
【００１９】  図５は、本発明に係る支柱の壁面への取付装置によって棚受けを構築する状態の斜視図、図６は、同装置と支柱の側面図、図７は、同装置の縦断側面図、図８は、図７のＢ−Ｂ線断面図である。【００２０】  床面Ｆへの支柱１の取り付けは実施例１の取付金具１を使用して行うが、この実施例２における壁面Ｗへの支柱１の取り付けは壁面に敷設されたレールＲの溝Ｒ−１に嵌合する嵌合片１−３と壁面への当接片１−４を上記実施例１の取付金具１の取付片１−１の上下にそれぞれ形成し、上部の嵌合片１−３をレールＲの溝Ｒ−１に嵌合させてレールＲを介して壁面に取り付けるもので、取付金具１への支柱２の装着は実施例１の場合と全く同じである。【００２１】  この実施例２による壁面Ｗへの支柱の取付装置によれば、支柱１を直接壁面に取り付けるのではなく、壁面に敷設されたレールＲの溝Ｒ−１に取付金具１の嵌合片１−３を差し入れて装着するものであるから、取付金具１の取り付けが簡単であり、支柱１の左右方向への移動も自在であるから、壁面側における支柱１の取付位置の修正も簡単に行えるという効果がある。修正後はレールＲの溝Ｒ−１ににスットパーを嵌合させるか、止めネジによって取付金具１の移動を阻止するようにしておけばよいものである。【００２２】  尚、図９は、壁面への支柱の取付装置における変形例を表わす縦断側面図であって、支柱２が木製の場合に、支柱２の端部に凹部５−１を形成した別の取付金具５をネジ止めし、壁面に敷設された、ボードＴの張設用のレールＲに装着された取付金具１の突出部１−５に取付金具５の凹部５−１を嵌合させてネジにて取付金具１、５同士を結合させるものである。
【発明の効果】
【００２３】  以上述べたように、本発明に係る請求項１の支柱の取付装置によれば、床面乃至壁面に取り付けるための取付金具を支柱に対してスライド自在に装着し、取付金具と支柱間の距離を調節した後、止めネジにて取付金具と支柱を一体化するようにしたものであるから、床面乃至壁面に取り付けるための取付金具と支柱の間隔をスライドさせるだけで簡単に可変することができ、床面や壁面の歪みによる複数の支柱間での誤差や、施工後の微妙な誤差の修正等の調整がきわめて簡単に行えるという優れた効果を奏し得るものである。
【００２４】  また、本発明に係る請求項２の支柱の壁面への取付装置によれば、壁面に敷設されたレールの溝に嵌合できる嵌合片を形成した取付金具を支柱端部においてスライド自在に装着し、取付金具と支柱間の距離を調節した後、止めネジにて取付金具と支柱を一体化するようにしたものであるから、取付金具の壁面への取り付けが簡単であり、支柱の左右方向への移動も自在であるから、壁面側における支柱の取付位置の修正も簡単に行えるという効果がある。
【図面の簡単な説明】
【００２５】
【図１】  本発明に係る支柱の取付装置によって棚受けを構築する状態の斜視図である。
【図２】  同装置と支柱の側面図である。
【図３】  同装置の縦断側面図である。
【図４】  図３のＡ−Ａ線断面図である。
【図５】  本発明に係る壁面への支柱の取付装置によって棚受けを構築する状態の斜視図である。
【図６】  同装置と支柱の側面図である。
【図７】  同装置の縦断側面図である。
【図８】  図８のＢ−Ｂ線断面図である。
【図９】  壁面への支柱の取付装置における変形例を表わす縦断側面図である。
【符号の説明】
【００２６】    １          取付金具
２          支柱
３          コーナージョイント
４          カバー
【図１】
2006026349.tif 000003
【図２】
2006026349.tif 000004
【図３】
2006026349.tif 000005
【図４】
2006026349.tif 000006
【図５】
2006026349.tif 000007
【図６】
2006026349.tif 000008
【図７】
2006026349.tif 000009
【図８】
2006026349.tif 000010
【図９】
2006026349.tif 000011